(57)【要約】【課題】使用開始予定時刻を指定して予約することのできるロッカーの利用率または収益性を向上させる。【解決手段】本発明に係るロッカー予約システムは、ロッカーの予約時刻から使用開始予定時刻までの間は当該ロッカーを他のユーザに対して使用不可とするとともに、予約時刻から使用開始予定時刻までの時間分を予約者に課金する。【選択図】図３
2011034238.tif 000002
【特許請求の範囲】
【請求項１】
使用開始予定時刻を指定して予約することのできるロッカーと、
前記ロッカーの使用状況および予約状況を管理する管理サーバと、
前記ロッカーを予約すべき旨の指示を前記管理サーバに送信するロッカー予約端末と、
を有するロッカー予約システムであって、
前記ロッカー予約端末は、
前記ロッカーを予約すべき旨の指示、および当該ロッカーの使用開始予定時刻を前記管理サーバに送信し、
前記ロッカーを予約する時刻から前記使用開始予定時刻までの時間分の予約料金の金額を前記管理サーバより受信すると、その予約料金を決済した上で決済が完了した旨を前記管理サーバに送信し、
前記管理サーバは、
前記ロッカーを予約すべき旨の指示、前記予約時刻、および前記使用開始予定時刻を前記ロッカー予約端末より受信すると、予約の可否を判断した上で、前記予約料金の金額を前記ロッカー予約端末に送信し、
前記予約料金の決済が完了した旨を前記ロッカー予約端末より受信すると、前記使用開始予定時刻まで当該ロッカーを施錠不可にすべき旨の指示を前記ロッカーに送信し、
前記ロッカーは、
前記使用開始予定時刻まで当該ロッカーを施錠不可にすべき旨の指示を前記管理サーバより受信すると、前記使用開始予定時刻まで当該ロッカーを施錠不可とする
ことを特徴とするロッカー予約システム。
【請求項２】
前記ロッカーは、
利用者の識別情報を用いて施錠または解錠することができるように構成されており、
前記ロッカー予約端末は、
前記予約料金の決済が完了した旨を前記管理サーバに送信する際に、当該利用者の識別情報を併せて送信し、
前記管理サーバは、
前記使用開始予定時刻まで前記ロッカーを施錠不可にすべき旨の指示を当該ロッカーに送信する際に、前記識別情報を併せて送信し、
前記ロッカーは、
前記管理サーバより前記識別情報を受信すると、
前記使用開始予定時刻までの時間帯であっても、当該識別情報を用いる場合のみ当該ロッカーを施錠できるように設定する
ことを特徴とする請求項１記載のロッカー予約システム。
【請求項３】
前記管理サーバは、
前記ロッカーの使用状況を収集する手段と、その情報を蓄積するデータベースと、
を備え、
前記使用開始予定時刻以降に使用するよう予約することのできる前記ロッカーを検索すべき旨の指示を前記ロッカー予約端末より受信すると、
前記ロッカーのうち、その時点で使用されておらず、かつ使用開始予定時刻が設定されていないものを前記データベースから検索し、
その結果得られた前記ロッカーをその時点で予約可能であると判断して前記ロッカー予約端末に返信する
ことを特徴とする請求項１または請求項２記載のロッカー予約システム。
【請求項４】
前記ロッカー予約端末は、前記管理サーバに連絡先電子メールアドレスを送信し、
前記管理サーバは、
前記ロッカーのうち、その時点で使用されておらず、かつ使用開始予定時刻が設定されていないものが前記データベース上で見つからなかったときは、
前記連絡先電子メールアドレスを前記データベースに格納しておき、
前記使用開始予定時刻までに空きロッカーが生じると、前記連絡先電子メールアドレスにその旨の電子メールを送信する
ことを特徴とする請求項３記載のロッカー予約システム。
【請求項５】
前記管理サーバは、
前記連絡先電子メールアドレスに前記電子メールを送信する際に、
その時点から所定時間が経過するまで前記空きロッカーを施錠不可にすべき旨の指示を当該空きロッカーに送信し、
前記空きロッカーは、その時点から前記所定時間が経過するまで当該空きロッカーを施錠不可に設定する
ことを特徴とする請求項４記載のロッカー予約システム。
【請求項６】
前記管理サーバは、
前記連絡先電子メールアドレスに前記電子メールを送信する際に、
その時点から前記所定時間が経過するまで前記空きロッカーを仮確保した旨を前記データベースに記録するとともに、仮確保検索パスワードを当該空きロッカーに対応付けて前記データベースに記録し、
前記電子メールに前記仮確保検索パスワードを記載して送信し、
前記ロッカー予約端末より前記仮確保検索パスワードを受け取った場合は、その仮確保検索パスワードが対応付けられている前記空きロッカーを前記データベースより検索し、
前記ロッカー予約端末より前記仮確保検索パスワードを受け取らなかった場合は、その仮確保検索パスワードが対応付けられている前記空きロッカーを検索対称から除外する
ことを特徴とする請求項４または請求項５記載のロッカー予約システム。
【請求項７】
前記ロッカー予約端末は、
ＩＣチップに記録された情報を読み取るＩＣチップリーダを備え、
前記識別情報として、前記ＩＣチップに記録されている当該ＩＣチップのＩＤを用いる
ことを特徴とする請求項２から請求項６までのいずれか１項に記載のロッカー予約システム。
【請求項８】
前記ロッカー予約端末は、
前記予約料金の決済手段として、電子マネー機能を備えた前記ＩＣチップを用いる
ことを特徴とする請求項７記載のロッカー予約システム。
【請求項９】
前記ロッカー予約端末は、
前記ロッカーの場所またはサイズの少なくともいずれかを１以上指定して、前記ロッカーを予約すべき旨の指示を前記管理サーバに送信し、
前記管理サーバは、
指定された場所またはサイズを条件として予約の可否を判断する
ことを特徴とする請求項１から請求項８までのいずれか１項に記載のロッカー予約システム。
【発明の詳細な説明】
【技術分野】
【０００１】
本発明は、ロッカー予約システムに関するものである。
【背景技術】
【０００２】
鉄道駅構内には、手荷物などを一時的に保存する施設として、コインロッカーが提供されている。従来のコインロッカーの場合、利用者は、鍵を用いて施錠と解錠を行い、使用料金を硬貨で支払う。
【０００３】
下記特許文献１では、携帯電話やＩＣカードを用いてロッカーを施錠および解錠し、さらにはロッカーの使用料金を決済することのできるシステムが開示されている。このシステムでは、携帯電話もしくはＩＣカードのＩＤを荷物預け入れ時に読み取らせておき、同時に携帯電話もしくはＩＣカードの電子マネーにより、ロッカーの使用料金を決済する。荷物引き取り時に、携帯電話もしくはＩＣカードのＩＤによって利用者の認証を行い、ロッカーを解錠する。
【０００４】
一方、下記特許文献２では、駅構内のコインロッカーを、インターネットを介して事前に予約するシステムが開示されている。この予約システムでは、各地に設置されたロッカーがホストコンピュータによって管理されており、ユーザＰＣ（パーソナルコンピュータ）からインターネットを介して所望のロッカーの利用状況を確認することができる。ユーザは、ＰＣの画面上から空きロッカーのユーザＩＤ及びパスワードを入力することで、ロッカーを予約する。 
【先行技術文献】
【特許文献】
【０００５】
【特許文献１】特開２００５−３１６６８８号公報
【特許文献２】特開２００２−１２８２３９号公報
【発明の概要】
【発明が解決しようとする課題】
【０００６】
上記特許文献１に記載の技術では、利用者は構内を歩きながら空きロッカーを探す必要がある。さらに、空きロッカーがない場合は、駅構外や別の駅で別の空きロッカーを探すか、もしくはロッカーの利用そのものをあきらめなければならない。
【０００７】
また、上記特許文献２に記載の技術では、ロッカーが予約された後、実際に使用が開始されるまでの間は、そのロッカーを予約者に専有させる必要がある。
【０００８】
例えば、１０：００ＡＭの時点で、予約者が０７：００ＰＭからロッカーの使用を開始する旨を予約したと仮定する。このロッカーは、０７：００ＰＭ以降は予約者が使用することが予定されているものの、それまでの時間帯は他のユーザが使用しても支障はないはずである。しかし、他のユーザに０７：００ＰＭまでの使用を許可したとしても、当該他のユーザが０７：００ＰＭに当該ロッカーを開放するとは限らない。
【０００９】
使用開始予定時刻である０７：００ＰＭの時点で、当該ロッカーを強制的に開放するわけにはいかないので、結局のところ、０７：００ＰＭ以降に予約者が当該ロッカーを確実に使用できるようにするためには、予約時刻から使用開始予定時刻まで、当該ロッカーを予約者に専有させざるを得ない。この専有時間の間は、当該ロッカーが実際には使用されていないにも関わらず、他のユーザが使用することができないので、ロッカー事業者の収益性の観点から好ましくない。
【００１０】
本発明は、上記のような課題を解決するためになされたものであり、使用開始予定時刻を指定して予約することのできるロッカーの利用率または収益性を向上させることを目的とする。
【課題を解決するための手段】
【００１１】
本発明に係るロッカー予約システムは、ロッカーの予約時刻から使用開始予定時刻までの間は当該ロッカーを他のユーザに対して使用不可とするとともに、予約時刻から使用開始予定時刻までの時間分を予約者に課金する。
【発明の効果】
【００１２】
本発明に係るロッカー予約システムによれば、ロッカーの予約時刻から使用開始予定時刻までの間は当該ロッカーを他のユーザに対して使用不可とするので、予約者は使用開始予定時刻以降に当該ロッカーを確実に使用開始することができる。また、予約時刻から使用開始予定時刻までの時間分を予約者に課金するので、当該ロッカーの実質的な稼働率を下げることなく、上記機能を提供することができる。これにより、ロッカーの実質的な利用率または収益性を向上させることができる。
【図面の簡単な説明】
【００１３】
【図１】実施の形態１に係るロッカー予約システム１０００の構成図である。
【図２】予約管理サーバ３００の機能ブロック図である。
【図３】ロッカー使用状況管理データベース３５０の構成とデータ例を示す図である。
【図４】ロッカー群４００の機能ブロック図である。
【図５】予約者がロッカー群４００を予約する際の各機器の動作を示すシーケンス図である。
【図６】ロッカー検索条件入力画面の画面構成例を示す図である。
【図７】検索結果表示画面の画面構成例を示す図である。
【図８】予約内容確認画面の画面構成例を示す図である。
【図９】実施の形態２に係る予約管理サーバ３００の機能ブロック図である。
【図１０】実施の形態２におけるロッカー使用状況管理データベース３５０の構成とデータ例を示す図である。
【図１１】メール通知サービス管理データベース３７０の構成とデータ例を示す図である。
【図１２】予約者がロッカー群４００を予約する際の各機器の動作を示すシーケンス図である。
【図１３】メール通知部３６０の処理を説明するシーケンス図である。
【図１４】メール通知サービス申し込み画面の画面構成例を示す図である。
【図１５】予約者に配信する通知電子メールの内容例を示す図である。
【図１６】通知電子メールを受け取った予約者がロッカーの仮確保を確定する手順を説明するシーケンス図である。
【図１７】仮確保ロッカー検索画面の画面構成例を示す図である。
【発明を実施するための形態】
【００１４】
＜実施の形態１＞
図１は、本発明の実施の形態１に係るロッカー予約システム１０００の構成図である。ロッカー予約システム１０００は、携帯端末１００、駅構内ロッカー予約端末２００、予約管理サーバ３００、ロッカー群４００ａ、４００ｂ、４００ｃを備える。ロッカー群４００ａ〜４００ｃの構成は同様であるため、以後これらを総称するときは、ロッカー群４００と呼ぶ。
【００１５】
携帯端末１００は、携帯電話キャリアネットワーク５１０を介してインターネット５２０に接続され、さらにインターネット５２０を介して予約管理サーバ３００に接続されている。
【００１６】
駅構内ロッカー予約端末２００、ロッカー群４００は、駅構内ネットワーク５３０を介してインターネット５２０に接続され、さらにインターネット５２０を介して予約管理サーバ３００と接続されている。
【００１７】
携帯端末１００は、ネットワークを介してロッカー群４００を予約するためにユーザが用いるロッカー予約端末であり、表示部１１０、入力部１２０、ＩＣチップ１３０、通信部１４０を備える。また、図示しないロッカー予約プログラムを搭載している。
【００１８】
携帯端末１００のユーザ（予約者）は、入力部１２０を用いてロッカーの検索条件（ロッカーの場所、使用開始予定時刻など）を入力し、表示部１１０でその結果を確認しながら、希望条件に合致するロッカー群４００を予約すべき旨を指示する。通信部１４０は、その指示を予約管理サーバ３００に送信する。また、ＩＣチップ１３０は電子マネー機能を備え、予約料金の決済を行うことができる。
【００１９】
駅構内ロッカー予約端末２００は、ＩＣチップ１３０を備えた携帯端末１００を保持していないユーザが、駅構内でロッカー群４００の予約を行うためのロッカー予約端末である。駅構内ロッカー予約端末２００は、表示部２１０、入力部２２０、ＩＣカードリーダライタ２３０、通信部２４０を備える。
【００２０】
駅構内ロッカー予約端末２００のユーザ（予約者）は、携帯端末１００を使用する場合と同様の手順により、ロッカー群４００を予約すべき旨を指示する。通信部２４０は、その指示を予約管理サーバ３００に送信する。なお、携帯端末１００と異なり、予約料金の決済は、電子マネー機能を備えたＩＣカード２３１を用いて行う。ＩＣカードリーダライタ２３０は、ＩＣカード２３１と通信し、予約料金を決済する。
【００２１】
図２は、予約管理サーバ３００の機能ブロック図である。予約管理サーバ３００は、ロッカー群４００の使用状況および予約状況を管理する管理サーバであり、通信部３１０、ロッカー使用状況管理部３２０、ロッカー予約部３３０、予約料金算出部３４０、ロッカー使用状況管理データベース３５０を備える。
【００２２】
通信部３１０は、インターネット５２０を介して、携帯端末１００、駅構内ロッカー予約端末２００、ロッカー群４００と通信する。
【００２３】
ロッカー使用状況管理部３２０は、通信部３１０を介してロッカー群４００の使用状況を取得し、ロッカー使用状況管理データベース３５０にその使用状況を格納する。ロッカー群４００に対して使用状況を問い合わせ、その返信に基づき当該ロッカー群４００の使用状況を取得してもよいし、ロッカー群４００が自発的に予約管理サーバ３００に対し使用状況を報告するようにしてもよい。
【００２４】
ロッカー予約部３３０は、通信部３１０を介して予約者が指定するロッカー予約希望条件を取得し、その予約希望条件を用いて、ロッカー使用状況管理データベース３５０から条件に合致する空きロッカーを特定し、予約要求元（携帯端末１００または駅構内ロッカー予約端末２００）に返信する。
【００２５】
予約料金算出部３４０は、ロッカーを予約する時刻から使用開始予定時刻までの時間分に相当する予約料金の金額を算出し、通信部３１０を介して予約要求元（携帯端末１００または駅構内ロッカー予約端末２００）にその金額を送信する。
【００２６】
ロッカー使用状況管理データベース３５０は、ロッカー使用状況管理部３２０が収集した各ロッカー群４００の使用状況を保持するデータベースである。ロッカー使用状況管理データベース３５０の詳細は、後述の図３で説明する。
【００２７】
ロッカー使用状況管理部３２０、ロッカー予約部３３０、予約料金算出部３４０は、これらの機能を実現する回路デバイスのようなハードウェアを用いて構成することもできるし、ＣＰＵ（Ｃｅｎｔｒａｌ  Ｐｒｏｃｅｓｓｉｎｇ  Ｕｎｉｔ）のような演算装置とその動作を規定するソフトウェアを用いて構成することもできる。
【００２８】
ロッカー使用状況管理データベース３５０は、ＨＤＤ（Ｈａｒｄ  Ｄｉｓｋ  Ｄｒｉｖｅ）のような書き込み可能な記憶装置と、情報を記録するデータファイルなどを用いて構成することができる。
【００２９】
図３は、ロッカー使用状況管理データベース３５０の構成とデータ例を示す図である。ロッカー使用状況管理データベース３５０は、テーブル形式のデータベースであり、「設置駅名」列、「駅内場所」列、「ロッカー番号」列、「サイズ」列、「使用状況」列、「使用開始予定時刻」列、「予約者識別番号」列を有する。
【００３０】
「設置駅名」列は、ロッカー群４００が設置されている駅名を保持する。
「駅内場所」列は、「設置駅名」列で特定される駅内のロッカー群４００が設置されている場所名を保持する。通常は、１つの「駅内場所」列に対して１つのロッカー群４００が対応するが、必ずしもこれに限られず、１つの「駅内場所」列に対して複数のロッカー群４００が存在していてもよい。
【００３１】
「ロッカー番号」列は、後述の図４で説明する各ロッカー４７０の識別番号を保持する。図３では、同一の「設置駅名」列の値に対して重複しない「ロッカー番号」列の値を割り当て、別の設置駅では改めてロッカー番号を割り当て直す例を示した。そのため、ロッカー番号「１００１」はロッカー使用状況管理データベース３５０内で重複しているが、「設置駅名」列の値で各ロッカーを識別すればよい。ロッカーの識別番号の割り当て方はこれに限られず、例えばロッカー使用状況管理データベース３５０全体で一意の識別番号を割り当ててもよい。
【００３２】
「サイズ」列は、各ロッカー４７０のサイズを保持する。
「使用状況」列は、各ロッカー４７０の現在の使用状況を保持する。
「使用開始予定時刻」列は、各ロッカー４７０が予約されているとき、その使用開始予定時刻を保持する。予約されていないロッカーについては、「無」を保持する。
「予約者識別番号」列は、各ロッカー４７０が予約されているとき、その予約者の識別情報（ＩＣチップ１３０のＩＤ、またはＩＣカード２３１のＩＣチップのＩＤ）を保持する。予約されていないロッカーについては、「無」を保持する。
【００３３】
図４は、ロッカー群４００の機能ブロック図である。ロッカー群４００は、使用開始予定時刻を指定して予約することのできるロッカーであり、通信部４１０、使用状況管理部４２０、予約部４３０、認証部４４０、施錠部４５０、解錠部４６０、ロッカー４７０を備える。
【００３４】
通信部４１０は、駅構内ネットワーク５３０、インターネット５２０を介して、予約管理サーバ３００と通信する。
【００３５】
使用状況管理部４２０は、ロッカー４７０の使用状況を取得し、通信部４１０を介して予約管理サーバ３００に送信する。予約管理サーバ３００からロッカー４７０の使用状況を送信するよう要求された時点で使用状況を取得してもよいし、例えば所定時間間隔などで自発的に使用状況を取得してもよい。
【００３６】
予約部４３０は、ロッカー４７０を予約すべき旨と使用開始予定時刻を、通信部４１０を介して予約管理サーバ３００より受け取り、その使用開始予定時刻までロッカー４７０を施錠不可状態にする。また、予約者の識別情報を併せて受け取り、その識別情報を用いる場合のみ、使用開始予定時刻以前であってもロッカー４７０を施錠できるようにする。予約者の識別情報は、図示しないメモリなどの記憶装置に格納する。
【００３７】
認証部４４０は、予約されているロッカー４７０を施錠しようとするユーザを認証する機能を有する。具体的には、認証部４４０はＩＣカードリーダ機能を備え、予約者が保持するＩＣカードに記録されている識別情報（当該ＩＣカードのＩＣチップのＩＤなど）を読み取って、予約部４３０が先に予約管理サーバ３００より受け取った識別情報と照合する。これにより、認証部４４０は、その者が正当な予約者であるか否かを認証する。
【００３８】
施錠部４５０、解錠部４６０は、それぞれロッカー４７０の施錠、解錠を行う。
ロッカー４７０は、ロッカー４００が備える個々のロッカーである。ロッカー４７０の個数は任意でよいし、個々のロッカー４７０のサイズがそれぞれ異なっていてもよい。
【００３９】
以上、ロッカー予約システム１０００の構成について説明した。次に、ロッカー予約システム１０００の動作を説明する。
【００４０】
図５は、予約者がロッカー群４００を予約する際の各機器の動作を示すシーケンス図である。以下、図５の各ステップについて説明する。
（図５：ステップＳ５０１）
予約者は、携帯端末１００または駅構内ロッカー予約端末２００（以下、必要に応じて予約端末と呼ぶ）を用いて予約管理サーバ３００にアクセスし、後述の図６で説明するロッカー検索条件入力画面を呼び出す。予約者は、予約したいロッカーの設置駅名、サイズ、使用開始予定時刻を検索条件として入力する。予約端末は、予約者が入力した検索条件を予約管理サーバ３００に送信する。
【００４１】
（図５：ステップＳ５０２）
予約管理サーバ３００のロッカー予約部３３０は、通信部３１０を介して検索条件を受信する。ロッカー予約部３３０は、ロッカー使用状況管理データベース３５０より、検索条件に合致する空きロッカーを検索する。
【００４２】
（図５：ステップＳ５０３）
ロッカー予約部３３０は、通信部３１０を介して、検索結果を予約端末へ送信する。
【００４３】
（図５：ステップＳ５０４）
予約端末は、通信部を介して検索結果を受信し、後述の図７で説明する検索結果表示画面を表示部に表示する。予約者は、検索結果のなかから希望条件に合致するロッカーを選択する。予約端末は、その選択結果を予約管理サーバ３００に送信する。希望条件に合致するロッカーが見つからなかった場合や、さらに検索条件を絞り込む場合などは、ステップＳ５０１に戻って同様の手順を繰り返す。
【００４４】
（図５：ステップＳ５０５）
予約管理サーバ３００の予約料金算出部３４０は、通信部３１０を介して選択結果を受信する。予約料金算出部３４０は、予約者が選択したロッカーの設置駅名、駅内場所、使用開始予定時刻、および現在時刻を用いて、予約料金を算出する。算出手法としては、例えばサイズの大きいロッカーや都心部の駅内に設置されているロッカーは時間単位料金を高く設定しておき、現在時刻から使用開始予定時刻までの時間に応じて時間課金する、などの手法が考えられる。予約料金算出部３４０は、通信部３１０を介して、算出結果を予約端末へ送信する。
【００４５】
（図５：ステップＳ５０６）
算出結果を受信し、後述の図８で説明する予約内容確認画面を表示部に表示する。予約者が予約内容確認画面上で予約内容を承諾すると、予約端末は、ＩＣチップ１３０またはＩＣカード２３１を用いて予約料金を決済する。
【００４６】
（図５：ステップＳ５０７）
予約端末は、通信部を介して、予約料金の決済が完了した旨、およびＩＣチップ１３０またはＩＣカード２３１のＩＣチップのＩＤを予約管理サーバ３００に送信する。このＩＤは、予約者を識別する識別情報としての役割を果たすことになる。
【００４７】
（図５：ステップＳ５０８）
予約管理サーバ３００のロッカー予約部３３０は、通信部３１０を介して予約者のＩＣチップのＩＤを受信する。ロッカー予約部３３０は、予約者が予約したロッカーを有するロッカー群４００に、当該ロッカーを予約すべき旨の指示、使用開始予定時刻、および予約端末より受信したＩＤを送信する。また、ロッカー予約部３３０は、ロッカー使用状況管理データベース３５０の該当するレコードに、当該ロッカーの使用開始予定時刻とＩＤを、それぞれ「使用開始予定時刻」列と「予約者識別番号」列に格納する。
【００４８】
（図５：ステップＳ５０９）
ロッカー群４００の予約部４３０は、通信部４１０を介して、予約管理サーバ３００より上記指示、使用開始予定時刻、およびＩＤを受信する。予約部４３０は、図示しないメモリなどに、予約するよう指示を受けたロッカー４７０の使用開始予定時刻とＩＤを格納する。
【００４９】
（図５：ステップＳ５１０）
予約部４３０は、予約するよう指示を受けたロッカー４７０を、使用開始予定時刻まで施錠不可とする。ただし、予約者のＩＤとステップＳ５０９で受信したＩＤが合致した場合は、施錠を許可する。これについてはステップＳ５１３で改めて説明する。以上でロッカー４７０の予約が完了する。
【００５０】
（図５：ステップＳ５１０：補足）
予約部４３０は、使用開始予定時刻までに予約者が当該ロッカーの使用を開始しない場合は、予約者以外でも当該ロッカーを使用できるように、施錠可状態に戻すとともに、予約管理サーバ３００にその旨を通知する。予約管理サーバ３００のロッカー使用状況管理部３２０は、ロッカー使用状況管理データベース３５０の該当するレコードにおける「使用開始予定時刻」列と「予約者識別番号」列をクリアする。
【００５１】
（図５：ステップＳ５１１）
予約者は、ロッカー４７０を予約したときに用いた携帯端末１００またはＩＣカード２３１を持って、予約したロッカー４７０を有するロッカー群４００の設置場所まで移動する。予約者は、ロッカー群４００の認証部４４０に、ロッカー４７０を予約したときに用いた携帯端末１００またはＩＣカード２３１をかざす。
【００５２】
（図５：ステップＳ５１２）
ロッカー群４００の認証部４４０は、ＩＣチップ１３０またはＩＣカード２３１のＩＣチップのＩＤを読み取り、ステップＳ５０９で受信したＩＤと照合することにより、当該ＩＤを認証する。
【００５３】
（図５：ステップＳ５１３）
ロッカー群４００の認証部４４０は、認証結果を予約部４３０に通知する。予約部４３０は、認証部４４０が認証に成功した場合は、そのＩＤを用いて予約されたロッカー４７０を施錠可に設定する。
【００５４】
図６は、ロッカー検索条件入力画面の画面構成例を示す図である。ロッカー検索条件入力画面は、ロッカー設置駅名入力欄６０１、ロッカーサイズ選択欄６０２、ロッカー使用開始予定時刻入力欄６０３、検索開始ボタン６０４を有している。
【００５５】
予約者は、携帯電話１００の入力部１２０、または駅構内ロッカー予約端末２００の入力部２２０を用いて、予約を希望するロッカー４７０の設置駅名、サイズ、使用開始予定時間を選択または文字入力し、検索開始ボタン６０４を押下する。
【００５６】
予約者が、図６のロッカー検索条件入力画面に示されているように、ロッカー設置駅名６０１入力欄に「Ａ」を入力し、ロッカーサイズ選択欄６０２で「小」を選択し、使用開始予定時刻入力欄６０３に「１月２３日２０：００」を入力したと仮定する。
【００５７】
現在の各ロッカーの使用状況が、図３に示すロッカー使用状況管理データベース３５０のデータ例の状態であると仮定する。予約管理サーバ３００のロッカー予約部３３０は、「設置駅名＝Ａ」、「使用状況＝空き」のロッカーを検索する。図３のデータ例では、「サイズ＝小」のロッカーのうち、「ロッカー番号＝１００１、１００２、１００６」のロッカーが予約可能である。
【００５８】
「ロッカー番号＝１００９」のロッカーは、「使用状況＝使用中」であり、いつ開放されるか不確定であるため予約することができない。「ロッカー番号＝１００５」のロッカーは、使用開始予定時刻の値が設定されており、同列の値が指定する時刻までは予約を行なった者意外は施錠不可となっているため、予約することができない。
【００５９】
図７は、検索結果表示画面の画面構成例を示す図である。検索結果表示画面は、予約管理サーバ３００のロッカー予約部３３０が検索結果として得た、予約可能なロッカー群４００の一覧を表示する。予約者の便宜のため、当該駅の構内図とともに、予約可能なロッカー群４００の位置をアイコン等の画像で表示し、予約者が予約するロッカーを選択しやすいようにしてもよい。
【００６０】
図３のデータ例および図６の検索条件例によれば、駅Ａの北口ロッカーと南口ロッカーが選択可能であるため、これらのロッカーが選択可能である旨が、矢印によって示されている。利用者は、携帯端末１００の入力部１２０、もしくは駅構内ロッカー予約端末２００の入力部２２０を用いて、予約を希望するロッカーを選択する。
【００６１】
図８は、予約内容確認画面の画面構成例を示す図である。予約内容確認画面は、設置駅名表示欄８０１、駅内場所表示欄８０２、サイズ表示欄８０３、使用開始予定時刻表示欄８０４、予約料金表示欄８０５を有する。
【００６２】
設置駅名表示欄８０１、サイズ表示欄８０３、使用開始予定時刻表示欄８０４の表示内容には、予約者が図５のステップＳ５０１で入力した予約対象ロッカーの設置駅名、サイズ、使用開始予定時刻がそれぞれ記載される。駅内場所表示欄８０２の表示内容は、予約者が図５のステップＳ５０４で選択したロッカーの駅内場所を用いる。予約料金表示欄８０５の表示内容は、予約料金算出部３４０が算出した予約料金の金額を用いる。
【００６３】
図８において、予約者は予約を１月２３日の１７：００に行っていると仮定する。この場合、使用開始予定時刻（２０：００）までのロッカー専有時間は３時間である。ロッカー予約システム１０００は、予約料金を１００円／１時間と設定しているので、予約者が支払う予約料金は３００円となる。予約者は、これらの内容に承諾する場合はＯＫボタン８０６を押下し、キャンセルする場合はＣａｎｃｅｌボタン８０７を押下する。
【００６４】
予約者が駅構内ロッカー予約端末２００を用いてロッカーを予約する場合、表示部２１０は、ＩＣカード２３１をＩＣカードリーダライタ２３０にかざすよう予約者に促す表示を画面表示する。予約料金が３００円であれば、ＩＣカード２３１が備えるＩＣチップにチャージされている電子マネーから３００円分を引き落とす。また、ＩＣカードリーダライタ２３０はＩＣチップのＩＤを読み取り、予約管理サーバ３００に送信する。
【００６５】
予約者が携帯端末１００を用いてロッカーを予約する場合、予約者が図８のような予約内容確認画面でＯＫボタンを押すと、ＩＣチップ１３０にチャージされている電子マネーから３００円が引き落とされ、ＩＣチップ１３０のＩＤが読み取られ、予約管理サーバ３００に送信される。
以上、本実施の形態１に係るロッカー予約システム１０００の動作を説明した。
【００６６】
以上のように、本実施の形態１によれば、予約料金算出部３４０は、現在時刻、使用開始予定時刻、予約対象のロッカー種別などに基づき、予約者がロッカーを予約する時点から使用を開始する時点までの予約料金を算出する。予約端末はその予約料金を決済する。ロッカー群４００は、予約されたロッカーをその時点から使用開始予定時刻まで、予約者以外は施錠不可にする。これにより、使用開始予定時刻になっても他の使用者がロッカーを専有している状況が発生しないので、予約者は使用開始予定時刻に確実にロッカーを使用開始することができる。また、予約完了から予約開始予定時刻までの時間分を予約料金として課金するので、その時間帯は実質的に当該ロッカーが使用されているのと同様の状態となり、ロッカーの実質的な稼働率、収益性を向上させることができる。
【００６７】
また、本実施の形態１によれば、予約端末は、予約料金を決済する際に使用するＩＣチップのＩＤを予約管理サーバ３００に送信する。予約対象のロッカーは予約管理サーバ３００を介してそのＩＤを受け取って記憶するとともに、使用開始予定時刻までの時間帯は当該ＩＤを認証した場合のみ当該ロッカーを施錠できるようにする。これにより、予約料金の決済と予約対象ロッカーの施錠／解錠を、同一のＩＣカード２３１または携帯端末１００で行なうことができるので、予約者にとって便宜である。さらには、ＩＣチップのＩＤは容易に複製することができないので、セキュリティの観点からも好ましい。
【００６８】
＜実施の形態２＞
実施の形態１では、予約者が希望する条件のロッカーが見つからなかったときは、検索条件を変更して再度検索を行なうこととした。本発明の実施の形態２では、予約者が希望する条件のロッカーが見つからなかったときは、当該ロッカーが開放された時点でその旨を予約者に電子メールで通知し、予約者の便宜を図る。電子メールの通知に係る構成以外は実施の形態１と概ね同様であるため、以下では差異点を中心に説明する。
【００６９】
図９は、本実施の形態２に係る予約管理サーバ３００の機能ブロック図である。本実施の形態２において、予約管理サーバ３００は、実施の形態１の図２で説明した構成に加えて新たにメール通知部３６０とメール通知サービス管理データベース３７０を備える。
【００７０】
メール通知部３６０は、予約者が予約することができなかったロッカーが開放されたとき、その予約者にその旨を電子メールで通知する。また、電子メールで予約者に通知してから所定時間（例えば３０分程度）の間、当該ロッカーを施錠不可として仮確保する。これは、予約者が電子メールを読むまでのタイムラグに配慮したものである。予約者は、この時間以内に再予約（仮予約確定）を完了するように促されることになる。メール通知部３６０の動作の詳細は、後述の図１３〜図１５で改めて説明する。
【００７１】
メール通知サービス管理データベース３７０は、予約者が予約することができなかったロッカーの検索条件と、当該予約者の連絡先電子メールアドレスとを格納する。ロッカー使用状況管理データベース３５０と一体的に構成することもできる。詳細は後述の図１１で改めて説明する。
【００７２】
メール通知部３６０は、その機能を実現する回路デバイスのようなハードウェアを用いて構成することもできるし、ＣＰＵのような演算装置とその動作を規定するソフトウェアを用いて構成することもできる。
【００７３】
メール通知サービス管理データベース３７０は、ＨＤＤのような書き込み可能な記憶装置と、情報を記録するデータファイルなどを用いて構成することができる。
【００７４】
図１０は、本実施の形態２におけるロッカー使用状況管理データベース３５０の構成とデータ例を示す図である。本実施の形態２において、ロッカー使用状況管理データベース３５０は、実施の形態１の図３で説明した構成に加え、新たに「仮確保終了予定時刻」列を有する。
【００７５】
「仮確保終了予定時刻」列は、予約することができなかったロッカーが開放された旨をメール通知部３６０が予約者に通知する際における、当該ロッカーを仮確保する期限を保持する。
【００７６】
図１０のデータ例に示す状態において、予約者が図６のような検索条件を予約管理サーバ３００に送信したと仮定する。ロッカー予約部３３０は、「設置駅名＝Ａ」、「使用状況＝空き」のロッカーを検索し、「ロッカー番号＝１００１、１００６」のロッカーが予約可能であると判断する。
【００７７】
「ロッカー番号＝１００２」のロッカーは、「仮確保終了予定時刻」列の値がセットされているので、現時点では当該ロッカーは予約することができない。なお、「予約者識別番号」の値は、仮確保したロッカーを予約することのできるユーザを特定するための識別子である。これについては後述の図１５で改めて説明する。
【００７８】
図１１は、メール通知サービス管理データベース３７０の構成とデータ例を示す図である。メール通知サービス管理データベース３７０は、テーブル形式のデータベースであり、「設置駅名」列、「サイズ」列、「使用開始予定時刻」列、「連絡先電子メールアドレス」列を有する。
【００７９】
「設置駅名」列、「サイズ」列、「使用開始予定時刻」列は、予約者が予約を希望したが予約することができなかったときのロッカー検索条件の各条件値を保持する。これらは、予約者が図６の画面で選択ないし入力した、ロッカー設置駅名入力欄６０１、ロッカーサイズ選択欄６０２、ロッカー使用開始予定時刻入力欄６０３の各値に相当する。これらの列に加えて「駅内場所」列を設けてもよいが、本データベースの各列は図６に示す各検索条件と対応することが望ましいので、ここでは省略した。
【００８０】
「連絡先電子メールアドレス」列は、予約することができなかったロッカーが開放された際にその旨を連絡すべき宛先電子メールアドレスを保持する。一般には、予約者の個人電子メールアドレス、例えば携帯端末１００の電子メールアドレスを保持することが多いと思われる。
【００８１】
図１２は、予約者がロッカー群４００を予約する際の各機器の動作を示すシーケンス図である。同シーケンス図は、実施の形態１の図５で説明したものと概ね同様であるが、メール通知部３６０に係る処理が異なる。以下、図１２の各ステップについて説明する。
【００８２】
（図１２：ステップＳ５０１〜Ｓ５０２）
これらのステップは図５の同ステップと同様であるが、ステップＳ５０２の次はステップＳ１００１に進む。また、ステップＳ５０２において、「仮確保終了予定時刻」列の値が設定されているロッカーは、検索対象から除外する。
【００８３】
（図１２：ステップＳ１００１）
空きロッカーがあればステップＳ５０３へ進み、なければステップＳ１００２へ進む。
【００８４】
（図１２：ステップＳ１００２）
メール通知部３６０は、後述の図１３で説明する処理を実行する。
【００８５】
（図１２：ステップＳ５０３〜）
以後のステップは、図５のステップＳ５０３以降と同様である。
【００８６】
図１３は、メール通知部３６０の処理を説明するシーケンス図である。以下、図１３の各ステップについて説明する。
【００８７】
（図１３：ステップＳ１３０１）
予約端末は、後述の図１４で説明するメール通知サービス申し込み画面を表示部に表示する。予約者は、同画面上で自己の連絡先電子メールアドレスを入力する。予約端末は、予約管理サーバ３００にその電子メールアドレスを送信する。なお、図１４では予約希望条件を表示していないが、先のステップＳ５０１で予約者が入力した条件を予約管理サーバ３００側で保持するか、もしくは図１４の画面内に非表示で埋め込んでおく（例えばＨＴＭＬのｈｉｄｄｅｎタグやｃｏｏｋｉｅ内に記載する）などして、先に入力された条件を引き継いでおく。
【００８８】
（図１３：ステップＳ１３０２）
予約管理サーバ３００のメール通知部３６０は、通信部３１０を介して、予約者の連絡先電子メールアドレス（および予約希望条件）を受信する。メール通知部３６０は、メール通知サービス管理データベース３７０に、予約者の連絡先電子メールアドレスと予約希望条件を格納する。
【００８９】
（図１３：ステップＳ１３０３）
ロッカー群４００の使用状況管理部４２０は、ロッカー４７０が開放される（解錠される）と、当該ロッカー４７０の設置駅名、駅内場所、サイズ、ロッカー番号などの、当該ロッカー４７０を識別することのできる情報を、予約管理サーバ３００に通知する。
【００９０】
（図１３：ステップＳ１３０４）
予約管理サーバ３００のメール通知部３６０は、開放された旨の通知を受けたロッカー４７０が、メール通知サービス管理データベース３７０に格納されている予約希望条件と合致するか否かを確認する。合致する場合はステップＳ１３０５に進み、合致しない場合は本ステップを繰り返す。
【００９１】
（図１３：ステップＳ１３０５）
メール通知部３６０は、ロッカー使用状況管理データベース３５０の該当するロッカーの「仮確保終了予定時刻」列に、当該ロッカーの仮確保が終了する時刻（例えば現在時刻から３０分後）を記録する。また、「予約者識別番号」列に、一意の仮確保検索パスワード（例えばランダム文字列）を記録する。メール通知部３６０は、予約者がメール通知サービスを申し込んだ場合は、後述の図１５で説明する通知電子メールを予約者に送信する。また、メール通知サービス管理データベース３７０から当該予約者に関するレコードを削除する。通知電子メールには、予約者が予約しようとしたロッカーが開放された旨が記載されている。また、メール通知部３６０は、当該ロッカーを仮確保すべき旨を、当該ロッカーを有するロッカー群４００に通知する。
【００９２】
（図１３：ステップＳ１３０５：補足）
ステップＳ１３０４において、複数のロッカーが予約希望条件に合致した場合は、いずれか１つのロッカーのみ仮確保してもよいし、２つ以上のロッカーを仮確保してもよい。
【００９３】
（図１３：ステップＳ１３０６）
ロッカー群４００の予約部４３０は、通信部４１０を介して、予約管理サーバ３００より上記指示を受信する。予約部４３０は、仮確保するよう指示を受けたロッカー４７０を仮確保終了予定時刻まで施錠不可とする。
【００９４】
図１４は、メール通知サービス申し込み画面の画面構成例を示す図である。メール通知サービス申し込み画面は、連絡先電子メールアドレス入力欄１４０１を有する。予約者は、メール通知サービスを利用する場合は、連絡先電子メールアドレス入力欄１４０１に、自己の連絡先電子メールアドレスを入力し、送信ボタン１４０２を押下する。メール通知サービスを利用しない場合は、希望しないボタン１４０３を押下する。
【００９５】
図１５は、予約者に配信する通知電子メールの内容例を示す図である。通知電子メールは、予約することが可能になったロッカー４７０の希望予約条件１５０１、同ロッカーの仮確保終了予定時刻１５０２、仮確保検索パスワード１５０３を記載している。
【００９６】
希望予約条件１５０１は、開放されたロッカーの設置駅名とサイズを記述する。さらに駅内場所を記述してもよい。仮確保終了予定時刻１５０２は、ロッカー使用状況管理データベース３５０における当該ロッカーの「仮確保終了予定時刻」列の値と一致する。ここでは図１０の「ロッカー番号＝１００２」のロッカーを仮確保した例を示した。
【００９７】
仮確保検索パスワード１５０３には、ロッカー使用状況管理データベース３５０における当該ロッカーの「予約者識別番号」列の値が記述されている。このパスワードについては、図１６で説明する。
【００９８】
図１６は、通知電子メールを受け取った予約者がロッカーの仮確保を確定する手順を説明するシーケンス図である。以下、図１６の各ステップについて説明する。
【００９９】
（図１６：ステップＳ１６０１）
予約者は、予約端末を用いて予約管理サーバ３００にアクセスし、後述の図１７で説明する仮確保ロッカー検索画面を呼び出す。予約者は、通知電子メールに記載されている仮確保検索パスワード１５０３を入力する。予約端末は、予約者が入力した仮確保検索パスワードを予約管理サーバ３００に送信する。
【０１００】
（図１６：ステップＳ１６０２）
予約管理サーバ３００のロッカー予約部３３０は、通信部３１０を介して仮確保検索パスワードを受信する。ロッカー予約部３３０は、ロッカー使用状況管理データベース３５０より、「予約者識別番号」列の値がその仮確保検索パスワードと合致するロッカーを検索する。
【０１０１】
（図１６：ステップＳ５０３〜）
以後のステップは、図５のステップＳ５０３以降と同様である。ただし、仮確保を確定する際に、「仮確保終了予定時刻」列の値をクリアする必要がある。
【０１０２】
図１７は、仮確保ロッカー検索画面の画面構成例を示す図である。仮確保ロッカー検索画面は、仮確保検索パスワード入力欄１７０１、確定ボタン１７０２、Ｃａｎｃｅｌボタン１７０３を有する。
【０１０３】
予約者は、通知電子メールの仮確保検索パスワード１５０３に記述されている仮確保検索パスワードを、仮確保検索パスワード入力欄１７０１に入力し、確定ボタン１７０２を押下する。仮確保を行なわない場合は、Ｃａｎｃｅｌボタン１７０３を押下する。
【０１０４】
以上のように、本実施の形態２によれば、予約者が予約を希望するロッカーが見つからなかった場合、後にそのロッカーが開放された時点で予約者にその旨を即座に通知することができる。これにより、予約者が改めて希望条件に合致するロッカーを検索し直すための負担を軽減することができ、予約者にとって便宜である。
【０１０５】
また、本実施の形態２によれば、メール通知部３６０は、予約者が予約を希望するロッカーが開放されると、所定時間が経過するまでそのロッカーを施錠不可にする。これにより、他の者がそのロッカーの使用を開始してしまうことを防ぎ、予約者は確実にそのロッカーを予約することができる。
【０１０６】
また、本実施の形態２によれば、メール通知部３６０は、予約者が予約を希望するロッカーが開放されると、ロッカー使用状況管理データベース３５０の当該ロッカーの「予約者識別番号」列に一意の識別情報（仮確保検索パスワード）を記録し、通知電子メールにその仮確保検索パスワードを記載して送信する。予約者は、仮確保検索パスワードを予約管理サーバ３００に送信することにより、自己が仮確保対象の予約者であることを証明することができる。
【０１０７】
また、ロッカー予約部３３０は、ロッカー検索条件入力画面から空きロッカーを検索する場合は、「仮確保終了予定時刻」列の値が設定されているロッカーは検索対象から除外し、仮確保確定画面から仮確保検索パスワードを指定した場合のみ、そのロッカーを検索対象とする。これにより、仮確保対象の予約者以外は仮確保されているロッカーを予約することができなくなるので、仮確保対象者は確実に仮確保ロッカーを予約することができる。
【０１０８】
＜実施の形態３＞
以上の実施の形態１〜２において、図６のロッカー検索条件入力画面では、設置駅名、サイズ、使用開始予定時刻を入力または選択して空きロッカーを検索することを説明したが、これ以外の検索条件、例えば駅内場所を検索条件として指定できるようにすることもできる。
【０１０９】
また、図６のロッカー検索条件入力画面では、単一の設置駅名と単一のサイズを指定するようにしたが、複数の設置駅名またはサイズを指定できるようにしてもよい。この場合、検索条件として指定したいずれかの設置駅名またはいずれかのサイズに合致する空きロッカーが検索されることになる。
【０１１０】
また、図６のロッカー検索条件入力画面において、必ずしも全ての項目を入力する必要はなく、一部の項目のみ必須入力項目としてもよい。
【０１１１】
＜実施の形態４＞
以上の実施の形態１〜３では、ＩＣカード２３１のＩＣチップのＩＤや、携帯端末のＩＣチップ１３０のＩＤを用いて、予約者の識別および予約料金の決済を行なうことを説明した。予約者の識別手法や決済手段はこれに限られるものではなく、その他の識別手法や決済手段を用いることもできる。
【０１１２】
例えば、予約者がロッカーを予約する時点で、図６のロッカー検索条件入力画面上で任意のパスワードを入力し、予約管理サーバ３００を介して空きロッカーに送信することが考えられる。この場合、ロッカー使用状況管理データベース３５０の「予約者識別番号」列には、そのパスワードが記録される。また、当該空きロッカーを有するロッカー群４００には、そのパスワードが送信される。予約者が、ロッカー群４００の認証部４４０にそのパスワードを入力すると、予約した空きロッカーを施錠することができる。
【０１１３】
実施の形態１〜３では、予約者の識別手段と決済手段を、ＩＣチップで兼用することとしたが、決済手段については、予約者の識別情報を特定する手段とは別に構成することもできる。例えば、駅構内ロッカー予約端末２００を用いて予約する場合は、予約料金を現金で駅構内ロッカー予約端末２００に投入することで決済を行なうようにしてもよい。あるいは、携帯端末１００で決済を行なう場合は、携帯電話キャリアの決済サービスを利用するように構成してもよい。
【符号の説明】
【０１１４】
１００：携帯端末、１１０：表示部、１２０：入力部、１３０：ＩＣチップ、１４０：通信部、２００：駅構内ロッカー予約端末、２１０：表示部、２２０：入力部、２３０：ＩＣカードリーダ、２４０：通信部、３００：予約管理サーバ、３１０：通信部、３２０：ロッカー使用状況管理部、３３０：ロッカー予約部、３４０：予約料金算出部、３５０：ロッカー使用状況管理データベース、４００ａ、４００ｂ、４００ｃ：ロッカー群、４１０：通信部、４２０：使用状況管理部、４３０：予約部、４４０：認証部、４５０：施錠部、４６０：解錠部、４７０：ロッカー、５１０：携帯電話キャリアネットワーク、５２０：インターネット、５３０：駅構内ネットワーク、６０１：ロッカー設置駅名入力欄、６０２：ロッカーサイズ選択欄、６０３：ロッカー使用開始予定時刻入力欄、６０４：検索開始ボタン、８０１：設置駅名表示欄、８０２：駅内場所表示欄、８０３：サイズ表示欄、８０４：使用開始予定時刻表示欄、８０５：予約料金表示欄、８０６：ＯＫボタン、８０７：Ｃａｎｃｅｌボタン、３６０：メール通知部、３７０：メール通知サービス管理データベース、１０００：ロッカー予約システム、１４０１：連絡先電子メールアドレス入力欄、１４０２：送信ボタン、１４０３：希望しないボタン、１５０１：希望予約条件、１５０２：仮確保終了予定時刻、１５０３：仮確保検索パスワード、１７０１：仮確保検索パスワード入力欄、１７０２：確定ボタン、１７０３：Ｃａｎｃｅｌボタン。
【図１】
2011034238.tif 000003
【図２】
2011034238.tif 000004
【図３】
2011034238.tif 000005
【図４】
2011034238.tif 000006
【図５】
2011034238.tif 000007
【図６】
2011034238.tif 000008
【図７】
2011034238.tif 000009
【図８】
2011034238.tif 000010
【図９】
2011034238.tif 000011
【図１０】
2011034238.tif 000012
【図１１】
2011034238.tif 000013
【図１２】
2011034238.tif 000014
【図１３】
2011034238.tif 000015
【図１４】
2011034238.tif 000016
【図１５】
2011034238.tif 000017
【図１６】
2011034238.tif 000018
【図１７】
2011034238.tif 000019